(57)【要約】【課題】耐圧強度に優れ、低コストで製造できる側面開口包装箱を提供する。【解決手段】周壁の隣接面をなす一方の側面板１から内フラップ４を、他方の側面板２から外フラップ５をそれぞれ延出し、内フラップ４に外フラップ５を貼り付けて封緘する包装箱において、一方の側面板１に、２本の切目列６に挟まれた縦方向の切裂帯７を設け、その始端の押込部８を内フラップ４に回り込ませて、外フラップ５の切欠部９から露出させ、内フラップ４に、側面板１との稜線から間隔をあけて横方向の切目列１０を入れ、切裂帯７の切除後、横方向の切目列１０の切断に伴い、一方の側面板１を他方の側面板２との稜線を軸として開けるようにする。【選択図】図３
2007055630.tif 000002
【特許請求の範囲】
【請求項１】
周壁の隣接する一方及び他方の側面板からフラップをそれぞれ延出し、これらのフラップを貼り合わせて封緘する包装箱において、一方の側面板に、２本の切目列に挟まれた縦方向の切裂帯を設け、この側面板に繋がるフラップに、切裂帯の始端となる押込部を露出させて設けると共に、このフラップに、側面板との稜線から間隔をあけて横方向の切目列を入れ、切裂帯の切除後、横方向の切目列の切断に伴い、一方の側面板を他方の側面板との稜線を軸として開けるようにしたことを特徴とする側面開口包装箱。
【請求項２】
周壁の隣接する一方及び他方の側面板からフラップをそれぞれ延出し、これらのフラップを貼り合わせて封緘する包装箱において、一方の側面板に、２本の切目列に挟まれた縦方向の切裂帯を設け、この側面板に繋がるフラップに、切裂帯の始端となる押込部を露出させて設けると共に、この側面板とフラップとの稜部に、切目が傾斜した横方向の切目列を入れ、切裂帯を切除した後、横方向の切目列を切断し、一方の側面板を他方の側面板との稜線を軸として開けるようにしたことを特徴とする側面開口包装箱。
【請求項３】
請求項１又は２に記載の側面開口包装箱において、切裂帯の始端となる押込部を、重なり合うフラップのうち内側のフラップに設け、外側のフラップに形成した切欠部から露出させるようにしたことを特徴とする側面開口包装箱。
【発明の詳細な説明】
【技術分野】
【０００１】
この発明は、縦置き時に上方へ向いた側面を開口させて物品を取り出せる包装箱に関するものである。
【背景技術】
【０００２】
従来、飲料入りペットボトルの包装箱として、下記特許文献１には、図９乃至図１１に示すようなものが記載されている。この包装箱は、図９に示すように、周壁の隣接する一方の側面板５１から内フラップ５３を、他方の側面板５２から外フラップ５４をそれぞれ延出し、内フラップ５３に外フラップ５４を貼り付けて封緘するものである。
【０００３】
この包装箱の周壁内面には、全周に亘ってカットテープ５５が貼着され、側面板５１の中央部には、カットテープ５５の始端部となる切込５６が入れられている。また、側面板５１，５２の稜線には、縦方向の切目列５７が入れられている。
【０００４】
この包装箱に収納されたペットボトルを自動販売機へ充填する際には、図１０に示すように、包装箱を縦置きにした状態で、上方へ向いた側面板５１をカットテープ５５により分割した後、その隙間から手を入れて切目列５７を切断すると、図１１に示すように、側面板５１を内フラップ５３との稜線を軸として開けることができる。
【０００５】
【特許文献１】特開２００２−１６６９２７号公報
【発明の開示】
【発明が解決しようとする課題】
【０００６】
しかしながら、上記のような包装箱では、周壁のコーナーの稜線に切目列が沿っていることから、横置き状態での積上げ時における耐圧強度が低下するおそれがあり、また、カットテープの貼着にコストがかかるという問題もある。
【０００７】
そこで、この発明は、耐圧強度に優れ、低コストで製造できる側面開口包装箱を提供することを課題とする。
【課題を解決するための手段】
【０００８】
上記課題を解決するため、この発明は、周壁の隣接する一方及び他方の側面板からフラップをそれぞれ延出し、これらのフラップを貼り合わせて封緘する包装箱において、一方の側面板に、２本の切目列に挟まれた縦方向の切裂帯を設け、この側面板に繋がるフラップに、切裂帯の始端となる押込部を露出させて設けると共に、このフラップに、側面板との稜線から間隔をあけて横方向の切目列を入れ、切裂帯の切除後、横方向の切目列の切断に伴い、一方の側面板を他方の側面板との稜線を軸として開けるようにしたのである。
【０００９】
また、前記横方向の切目列に代えて、切裂帯を設けた側面板とフラップとの稜部に、切目が傾斜した横方向の切目列を入れ、切裂帯を切除した後、横方向の切目列を切断し、一方の側面板を他方の側面板との稜線を軸として開けるようにしたのである。
【００１０】
さらに、切裂帯の始端となる押込部を、重なり合うフラップのうち内側のフラップに設け、外側のフラップに形成した切欠部から露出させたのである。
【発明の効果】
【００１１】
この側面開口包装箱では、隣接する側面板の稜部に縦方向の切目列がなく、切裂帯を設けた側面板に繋がるフラップに、側面板との稜線からずらして横方向の切目列を入れ、又は、切裂帯を設けた側面板とフラップとの稜部に、切目が傾斜した横方向の切目列を入れたので、横置き状態での積上げ時における耐圧強度の低下が防止される。
【００１２】
また、これらの横方向の切目列は、多少位置がずれても開口性等の機能に影響を及ぼすことがなく、カットテープの貼着も不要なため、低コストで製造できる。
【発明を実施するための最良の形態】
【００１３】
まず、この発明の第１実施形態を図１乃至図４に基づいて説明する。
【００１４】
この包装箱は、飲料入りペットボトルを包装する段ボール製のものである。図１に示すように、この包装箱のブランクでは、狭幅及び広幅の側面板１，２が各一対交互に連設され、一端の側面板２の外側には継代片３が連設されている。各側面板１，２の上端及び下端には内フラップ４及び外フラップ５がそれぞれ連設されている。
【００１５】
側面板１には、鉤形の切目が断続する２本のジッパ形切目列６に挟まれた縦方向の切裂帯７が設けられ、その始端の押込部８は上方の内フラップ４まで達し、終端は下方の内フラップ４まで達している。上方の外フラップ５の角部には、押込部８を露出させる切欠部９が形成されている。
【００１６】
また、上下の内フラップ４には、側面板１との稜線から間隔をあけて、両側縁に亘る横方向の切目列１０が入れられ、この切目列１０もまた、鉤形の切目が断続するジッパ形とされている。
【００１７】
上記ブランクから成る包装箱を使用する際には、図２に示すように、側面板１，２を角筒状に折り曲げ、継代片３を反対側の側面板１の内面に貼り付けて周壁を形成し、下方の内フラップ４と外フラップ５とを貼り合わせて底面を閉じ、ペットボトルを箱内に収納した後、上方の内フラップ４と外フラップ５とを貼り合わせ封緘する。
【００１８】
一方、ペットボトルを自動販売機へ充填する際、包装箱を縦置きにした状態でペットボトルを取り出すには、図３に示すように、内フラップ４に回り込んで切欠部９から露出した上方の押込部８を押し込み、その抜出穴に指を入れ、切裂帯７を引っ張って切除することにより、上方へ向いた側面板１を分割する。このように、押込部８が切欠部９から露出していると、切裂帯７を容易に切除することができる。
【００１９】
その後、図４に示すように、この側面板１を、横方向の切目列１０の切断に伴い、隣接する側面板２との稜線を軸として左右へ開くと、上方へ向いた側面が全面的に開口するので、ペットボトルＢを手際よく取り出して自動販売機に充填することができる。
【００２０】
上記のような包装箱では、隣接する側面板１，２の稜部に縦方向の切目列がなく、内フラップ４の側面板１との稜線からずれた位置に横方向の切目列１０を入れたので、横置き状態での積上げ時における耐圧強度の低下が防止される。
【００２１】
また、これらの横方向の切目列１０は、多少位置がずれても開口性等の機能に影響を及ぼすことがないので、フレキソグルアにより容易に製造でき、カットテープの貼着も不要なため、コストを抑制することができる。
【００２２】
次に、この発明の第２実施形態を図５乃至図８に基づいて説明する。
【００２３】
この包装箱は、上記第１実施形態に係る包装箱と基本構成は共通するものであり、横方向の切目列１０に代えて、内フラップ４と側面板１との稜部に、その稜線に交差するように切目が傾斜して断続する横方向の切目列１１を入れた点のみが相違する。
【００２４】
このような横方向の切目列１１を入れても、上記第１実施形態の包装箱と同様に、横置き状態での積上げ時における耐圧強度の低下が防止され、また、切目列１１の位置が多少ずれても開口性等の機能に影響を及ぼすことがなく、フレキソグルアで容易に製造でき、カットテープの貼着も不要なため、コストを抑制することができる。
【００２５】
なお、上記各実施形態では、包装箱の両端の側面板１をいずれも開けられるようにしたが、一方の側面板１のみを開けられるようにしてもよい。
【００２６】
また、側面板１及び内フラップ４に代えて、側面板２及び外フラップ５に切裂帯７及び押込部８をそれぞれ設け、外フラップ５に切目列１０を入れ、又は、側面板２と外フラップ５との稜部に切目列１１を入れるようにしてもよい。
【００２７】
また、上記各実施形態で例示した直方体状の包装箱だけでなく、縦置きできる形状であれば、周壁が六角筒状や八角筒状等をなす変則的な包装箱においても、同様の構成を適用することができる。
【図面の簡単な説明】
【００２８】
【図１】この発明の第１実施形態に係る包装箱のブランクを示す図
【図２】同上の封緘状態における横置き斜視図
【図３】同上の縦置き開封過程を示す斜視図
【図４】同上の開封状態を示す斜視図
【図５】この発明の第２実施形態に係る包装箱のブランクを示す図
【図６】同上の封緘状態における横置き斜視図
【図７】同上の縦置き開封過程を示す斜視図
【図８】同上の開封状態を示す斜視図
【図９】従来の包装箱の封緘状態における横置き斜視図
【図１０】同上の縦置き開封過程を示す斜視図
【図１１】同上の開封状態を示す斜視図
【符号の説明】
【００２９】
１，２  側面板
３  継代片
４  内フラップ
５  外フラップ
６  切目列
７  切裂帯
８  押込部
９  切欠部
１０，１１  切目列
【図１】
2007055630.tif 000003
【図２】
2007055630.tif 000004
【図３】
2007055630.tif 000005
【図４】
2007055630.tif 000006
【図５】
2007055630.tif 000007
【図６】
2007055630.tif 000008
【図７】
2007055630.tif 000009
【図８】
2007055630.tif 000010
【図９】
2007055630.tif 000011
【図１０】
2007055630.tif 000012
【図１１】
2007055630.tif 000013